(57)【要約】【課題】ドレスのシルエットを容易に変更することができるパニエを提供する。【解決手段】ドレスの内側に着用するパニエ１０であって、スカート状に形成される土台スカート部２０と、土台スカート部２０の周囲に沿ってそれぞれ着脱自在に装着され、内側からドレスを膨らませドレスの形状を整える複数の整形部材３０ａ〜３０ｅと、を有する。【選択図】図２
2016089318.tif 000002
【特許請求の範囲】
【請求項１】
ドレスの内側に着用するパニエであって、
スカート状に形成される土台スカート部と、
前記土台スカート部の周囲に沿ってそれぞれ着脱自在に装着され、内側から前記ドレスを膨らませ前記ドレスの形状を整える複数の整形部材と、を有することを特徴とするパニエ。
【請求項２】
前記整形部材は、前記土台スカート部に対して、スライド部材を介したスライド操作に応じて一方側噛合部材と他方側噛合部材とが噛合または噛合解除されるファスナー部材により着脱自在に装着されることを特徴とする請求項１に記載のパニエ。
【請求項３】
前記一方側噛合部材は、長尺の一方側テープを介して前記土台スカート部に結合され、
前記他方側噛合部材は、長尺の他方側テープを介して前記整形部材に結合され、
前記一方側テープおよび前記他方側テープは、長手方向に沿って伸縮可能であることを特徴とする請求項２に記載のパニエ。
【請求項４】
前記土台スカート部は、
環状に形成され着用者の腰周りに着用される第１スカート部材と、
環状に形成され前記第１スカート部材に対して着脱自在であって、前記第１スカート部材の複数の異なる高さに装着可能な第２スカート部材と、を有することを特徴とする請求項１ないし３の何れか１項に記載のパニエ。
【請求項５】
前記土台スカート部は、
環状に形成され前記第２スカート部材に対して着脱自在であって、前記第２スカート部材の複数の異なる高さに装着可能な第３スカート部材を有することを特徴とする請求項４に記載のパニエ。
【請求項６】
一方のスカート部材は、他方のスカート部材に対して、スライド部材を介したスライド操作に応じて一方側噛合部材と他方側噛合部材とが噛合または噛合解除されるファスナー部材により着脱自在に装着されることを特徴とする請求項４または５に記載のパニエ。
【請求項７】
前記土台スカート部は、
着用者の腰周りに着用され、単独でミニ丈となる第１スカート部材と、
前記第１スカート部材に対して着脱自在であって、前記第１スカート部材の下端に装着されることでミディアム丈となる第２スカート部材と、
前記第２スカート部材に対して着脱自在であって、前記第２スカート部材の下端に装着されることでロング丈となる第３スカート部材と、を有し、
前記第２スカート部材は、前記第１スカート部材の下端よりも上側の複数の異なる高さに装着可能であり、
前記第３スカート部材は、前記第２スカート部材の下端よりも上側の複数の異なる高さに装着可能であることを特徴とする請求項１ないし３の何れか１項に記載のパニエ。
【請求項８】
前記土台スカート部は、前記土台スカート部の上下に沿って設けられたファスナー部材により分離可能であって、
前記土台スカート部が分離された端部同士の間に着脱自在な付属スカート部と、
前記付属スカート部に装着され、前記ドレスの形状を整える付属整形部材と、を有することを特徴とする請求項１ないし７の何れか１項に記載のパニエ。
【発明の詳細な説明】
【技術分野】
【０００１】
本発明は、ドレスの内側に着用するパニエに関するものである。
【背景技術】
【０００２】
従来からドレスの内側に着用するパニエが知られている（特許文献１を参照）。通常、パニエは、ドレスの形状を整えて美しいシルエットを形成できるように、土台スカートの周りにチュール等の生地が略円錐状になるように縫い付けられている。ドレスは、パニエの各チュールのボリュームによってベル型やフレア型等のシルエットを実現することができる。
【先行技術文献】
【特許文献】
【０００３】
【特許文献１】実用新案登録第３１７９１０１号公報
【発明の概要】
【発明が解決しようとする課題】
【０００４】
しかしながら従来のパニエでは、ドレスのシルエットを変更したい場合には所望するシルエットに設計されたパニエに変更しなければならなかった。したがって、変更したいシルエットの数に応じたパニエの数を用意しなければならず、ドレスのシルエットの変更が容易ではないという問題があった。また、チュールはドレスに膨らみを持たせることが目的であるため、チュールが嵩張ってしまいパニエをコンパクトに収容するのが困難であった。
また、従来のパニエでは、着用が予定されているドレスや着用者に合わせて丈が設計されているために、異なるドレスや身長の異なる着用者では丈が合わず、パニエを着回しすることができないという問題があった。
【０００５】
本発明は、上述したような問題点に鑑みてなされたものであり、ドレスのシルエットを容易に変更できるパニエを提供することを目的とする。また、コンパクトに収容することができるパニエを提供することを目的とする。また、例えば、異なるドレスや身長の異なる着用者にも着回しできるように丈調節できるパニエを提供することを目的とする。
【課題を解決するための手段】
【０００６】
本発明は、ドレスの内側に着用するパニエであって、スカート状に形成される土台スカート部と、前記土台スカート部の周囲に沿ってそれぞれ着脱自在に装着され、内側から前記ドレスを膨らませ前記ドレスの形状を整える複数の整形部材と、を有することを特徴とする。
また、前記整形部材は、前記土台スカート部に対して、スライド部材を介したスライド操作に応じて一方側噛合部材と他方側噛合部材とが噛合または噛合解除されるファスナー部材により着脱自在に装着されることを特徴とする。
また、前記一方側噛合部材は、長尺の一方側テープを介して前記土台スカート部に結合され、前記他方側噛合部材は、長尺の他方側テープを介して前記整形部材に結合され、前記一方側テープおよび前記他方側テープは、長手方向に沿って伸縮可能であることを特徴とする。
また、前記土台スカート部は、環状に形成され着用者の腰周りに着用される第１スカート部材と、環状に形成され前記第１スカート部材に対して着脱自在であって、前記第１スカート部材の複数の異なる高さに装着可能な第２スカート部材と、を有することを特徴とする。
また、前記土台スカート部は、環状に形成され前記第２スカート部材に対して着脱自在であって、前記第２スカート部材の複数の異なる高さに装着可能な第３スカート部材を有することを特徴とする。
また、一方のスカート部材は、他方のスカート部材に対して、スライド部材を介したスライド操作に応じて一方側噛合部材と他方側噛合部材とが噛合または噛合解除されるファスナー部材により着脱自在に装着されることを特徴とする。
また、前記土台スカート部は、着用者の腰周りに着用され、単独でミニ丈となる第１スカート部材と、前記第１スカート部材に対して着脱自在であって、前記第１スカート部材の下端に装着されることでミディアム丈となる第２スカート部材と、前記第２スカート部材に対して着脱自在であって、前記第２スカート部材の下端に装着されることでロング丈となる第３スカート部材と、を有し、前記第２スカート部材は、前記第１スカート部材の下端よりも上側の複数の異なる高さに装着可能であり、前記第３スカート部材は、前記第２スカート部材の下端よりも上側の複数の異なる高さに装着可能であることを特徴とする。
また、前記土台スカート部は、前記土台スカート部の上下に沿って設けられたファスナー部材により分離可能であって、前記土台スカート部が分離された端部同士の間に着脱自在な付属スカート部と、前記付属スカート部に装着され、前記ドレスの形状を整える付属整形部材と、を有することを特徴とする。
【発明の効果】
【０００７】
本発明のパニエによれば、ドレスを膨らませドレスの形状を整える複数の整形部材を土台スカート部の周囲にそれぞれ着脱自在に構成したことで、所望するドレスのシルエットに応じて、ボリュームや硬さが異なる整形部材を装着することができ、ドレスのシルエットを容易に変更することができる。また、本発明のパニエによれば、整形部材を土台スカート部から離脱させることができるのでパニエをコンパクトに収容することができる。
また、例えば、本発明のパニエによれば、容易に丈調節することができるので、異なるドレスや身長の異なる着用者にも着回しすることができる。
【図面の簡単な説明】
【０００８】
【図１】パニエを着用した状態を示す図である。
【図２】パニエを後側から見た図である。
【図３】第１整形部材を第１スカート部材の取付位置Ｐ１に装着した状態を示す図である。
【図４】ボリュームが異なる第１整形部材の構成を示す図である。
【図５】ボリュームおよび硬さの異なる整形部材の種類を示す図である。
【図６】同一のドレスで異なるシルエットを実現した一例を示す図である。
【図７】第２スカート部材を第１スカート部材から離脱した状態を示す図である。
【図８】第１スカート部材の後部を分離した状態を示す図である。
【図９】付属スカート部および付属整形部材の構成を示す図である。
【発明を実施するための形態】
【０００９】
以下、本実施形態に係るパニエ１０について図面を参照して説明する。
図１は、着用者がパニエ１０を着用した状態を示す図である。
パニエ１０は、ドレスの内側に着用することでドレスに膨らみを持たせ所望するドレスのシルエットを実現する。なお、ドレスとは着用者の腰部および脚部を覆う、ウェディングドレス、舞台衣装などが含まれる。
本実施形態のパニエ１０は、着用者の腰部および脚部を覆うものについて説明するが、上半身の一部も覆うものであってもよい。
【００１０】
図２は、本実施形態のパニエ１０を後側から見た図である。
本実施形態のパニエ１０は、土台スカート部２０と、複数の整形部材（第１整形部材３０ａ〜第５整形部材３０ｅ）とを有している。
土台スカート部２０は、スカート状あるいは略円錐状であって、着用者の腰部および脚部を覆う大きさに形成される。土台スカート部２０は、環状に形成された複数のスカート部材（第１スカート部材２１ａ〜第３スカート部材２１ｃ）から構成される。また、土台スカート部２０は、例えば白色のポリエステル製である。
【００１１】
第１スカート部材２１ａは、伸縮可能なウエスト部２２を有し、着用者の腰部および臀部を覆う。
第２スカート部材２１ｂは、第１スカート部材２１ａよりも円周長さが長くなるように末広がり状に形成され、第１スカート部材２１ａに対して着脱自在に装着される。
第３スカート部材２１ｃは、第２スカート部材２１ｂよりも円周長さが長くなるように末広がり状に形成され、第２スカート部材２１ｂに対して着脱自在に装着される。
なお、第２スカート部材２１ｂおよび第３スカート部材２１ｃの着脱自在に装着される構成については、後述する図７を参照して後述する。
【００１２】
第１整形部材３０ａ〜第５整形部材３０ｅは、土台スカート部２０の周囲に沿ってそれぞれ装着され、内側からドレスを膨らませドレスの形状を整える。第１整形部材３０ａ〜第５整形部材３０ｅは、略帯状に形成され、ドレスの形状を整え易い素材であるチュール等が用いられる。ここでは、第１整形部材３０ａ〜第５整形部材３０ｅが白色のチュールであるものとして説明する。
本実施形態では、第１整形部材３０ａ、第２整形部材３０ｂ、第３整形部材３０ｃがそれぞれ第１スカート部材２１ａの取付位置Ｐ１、取付位置Ｐ２、取付位置Ｐ３に取り付けられる。また、第４整形部材３０ｄ、第５整形部材３０ｅがそれぞれ第２スカート部材２１ｂの取付位置Ｐ４、取付位置Ｐ５に取り付けられる。なお、第１整形部材３０ａから第５整形部材３０ｆになるほど丈寸法が長く形成される。
【００１３】
本実施形態では、第１整形部材３０ａ〜第５整形部材３０ｅが土台スカート部２０に対して着脱自在に装着できるように構成される。具体的には、第１整形部材３０ａ〜第５整形部材３０ｅはそれぞれ独立して、土台スカート部２０に対して着脱部を介して装着される。
図３は、第１整形部材３０ａを第１スカート部材２１ａの取付位置Ｐ１に着脱部を介して装着している状態を示す図である。本実施形態では、着脱部としてファスナー部材が用いられる。図３に示すように第１ファスナー部材４０ａは、スライド部材４１を介してスライド操作することで一方側噛合部材４２ａと他方側噛合部材４２ｂとが噛合または噛合解除される。
一方側噛合部材４２ａは、長尺のテープ（一方側テープ）４３ａに結合される。テープ４３ａが第１スカート部材２１ａの取付位置Ｐ１の周囲に沿って縫い付けられることで、一方側噛合部材４２ａが第１スカート部材２１ａの取付位置Ｐ１の周囲に沿って配置される。
他方側噛合部材４２ｂは、長尺のテープ（他方側テープ）４３ｂに結合される。テープ４３ｂが第１整形部材３０ａの上端に沿って縫い付けられることで、他方側噛合部材４２ｂが第１整形部材３０ａの上端に沿って配置される。
【００１４】
したがって、使用者は一方側噛合部材４２ａと他方側噛合部材４２ｂとを位置合わせして、スライド部材４１を第１ファスナー部材４０ａに沿ってスライド操作することで、一方側噛合部材４２ａと他方側噛合部材４２ｂとが噛合し、第１スカート部材２１ａに第１整形部材３０ａを装着することができる。第１整形部材３０ａが装着された状態で、使用者がスライド部材４１を第１ファスナー部材４０ａに沿って逆方向に、スライド操作することで、一方側噛合部材４２ａと他方側噛合部材４２ｂとが噛合解除され、第１整形部材３０ａを第１スカート部材２１ａから離脱させることができる。
【００１５】
このように、第１整形部材３０ａを第１スカート部材２１ａに第１ファスナー部材４０ａを介して装着することで、第１整形部材３０ａを容易に着脱自在にすることができる。
同様に、第２整形部材３０ｂ〜第５整形部材３０ｅについても第２ファスナー部材４０ｂ〜第５ファスナー部材４０ｅを介して土台スカート部２０に着脱自在に装着される。なお、第１整形部材３０ａ〜第５整形部材３０ｅの全てが、末広がり状の土台スカート部２０の周囲を覆うことができるように、第１ファスナー部材４０ａから第５ファスナー部材４０ｅになるほどテープ４３ａ、４３ｂの長さが長く形成されている。
【００１６】
次に、ドレス１００のシルエットを変更する場合について説明する。本実施形態では、第１整形部材３０ａ〜第５整形部材３０ｅごとに、ボリュームや硬さが異なる整形部材が用意されている。
図４（ａ）、（ｂ）はボリュームが異なる第１整形部材３０ａの一例を示す図である。図４（ａ）、（ｂ）では、第１整形部材３０ａを縫い付けるテープ４３ｂの長さは同一であるが、第１整形部材３０ａ自体、つまりチュールの長さを変更することでボリュームを異ならせている。具体的には、図４（ａ）はチュールの長さがＬｃｍであり、図４（ｂ）はチュールの長さが２Ｌｃｍである。図４（ｂ）の第１整形部材３０ａは図４（ａ）の第１整形部材３０ａに比べてギャザーを多く形成してテープ４３ｂに縫い付けている。したがって、図４（ｂ）の第１整形部材３０ａは、図４（ａ）の第１整形部材３０ａに比べてギャザーが多い分、厚みが厚くなり、結果としてボリュームが大きくなる。
【００１７】
図５は、第１整形部材３０ａ〜第５整形部材３０ｅごとに用意する、異なるボリュームおよび異なる硬さの例を示す図である。ここでは、チュールを用いた場合について説明する。
図５において、硬さ「３０デニール」、「５０デニール」、「７０デニール」は、繊維の太さであって、実質的にチュールの硬さを示している。数値が小さいとチュールが柔らかく、柔らかなドレスの膨らみを実現できる。一方、数値が大きいとチュールが硬く、硬さがあるドレスの膨らみを実現できる。
図５において、長さ「Ｌ」、「２Ｌ」、「３Ｌ」は、チュールの長さを示している。「２Ｌ」は所定の長さＬｃｍの２倍、「３Ｌ」は所定の長さＬｃｍの３倍である。図４で説明したように、数値が大きいとボリュームが大きくなり、数値が小さいとボリュームが小さくなる。
ここでは、第１整形部材３０ａ〜第５整形部材３０ｅごとに９種類の整形部材が用意されている。ただし、整形部材の種類の数は、所望するドレスのシルエットの数等に応じて任意に設定することができる。
【００１８】
図６（ａ）、（ｂ）は同一のドレス１００で異なるシルエットを実現した一例を示す図である。
図６（ａ）はベル型のシルエットの一例である。ベル型のシルエットを実現するには、例えば、取付位置Ｐ１の第１整形部材３０ａには図５に示す硬さ「３０デニール」、長さ「３Ｌ」を用い、腰周りを膨らませる。ここで、「３０デニール」を用いるのはドレス１００の表面に第１整形部材３０ａの当たりが表れないようにするためである。また、取付位置Ｐ２の第２整形部材３０ｂには図５に示す硬さ「５０デニール」、長さ「３Ｌ」を用い、第１整形部材３０ａを支える。また、取付位置Ｐ３の第３整形部材３０ｃには図５に示す硬さ「５０デニール」、長さ「２Ｌ」を用いると共に、取付位置Ｐ４の第４整形部材３０ｄには図５に示す硬さ「５０デニール」、長さ「Ｌ」を用いることで、ドレス１００の垂直方向のシルエットを形成する。また、取付位置Ｐ５の第５整形部材３０ｅには図５に示す硬さ「７０デニール」、長さ「Ｌ」を用いて裾が膨らまないようにする。ここで、「７０デニール」を用いるのはドレス１００の重みで裾が萎まないようにするためである。
【００１９】
図６（ｂ）はフレア型のシルエットの一例である。フレア型のシルエットを実現するには、例えば、取付位置Ｐ１の第１整形部材３０ａには図５に示す硬さ「３０デニール」、長さ「Ｌ」を用いて腰周りを膨らませないようにする。ここで、「３０デニール」を用いるのはドレス１００の表面に第１整形部材３０ａの当たりが表れないようにするためである。また、取付位置Ｐ２の第２整形部材３０ｂには図５に示す硬さ「３０デニール」、長さ「２Ｌ」を用い、第１整形部材３０ａを支える。また、取付位置Ｐ３の第３整形部材３０ｃには図５に示す硬さ「５０デニール」、長さ「３Ｌ」を用いてやや膝周りを膨らませる。また、取付位置Ｐ４の第４整形部材３０ｄには図５に示す硬さ「７０デニール」、長さ「２Ｌ」を用いると共に、取付位置Ｐ５の第５整形部材３０ｅには図５に示す硬さ「７０デニール」、長さ「３Ｌ」を用い、徐々に裾が膨らむようにする。
このように、所望するドレス１００のシルエットに応じて、ボリュームや硬さが異なる整形部材を装着することで、ドレス１００のシルエットを容易に変更することができる。
【００２０】
なお、第１整形部材３０ａ〜第５整形部材３０ｅは、色を白色とする場合について説明した。しかしながら、土台スカート部２０の最も下側に装着される第５整形部材３０ｅについては、第１整形部材３０ａ〜第４整形部材３０ｄと異なる色を複数、用意してもよい。具体的には、ドレス１００が舞台衣装である場合、着用者の舞台演技によりドレス１００が捲れ上がることがある。このとき、ドレス１００の捲れ上がった隙間から第５整形部材３０ｅが視認され、視聴者に違和感を与えてしまうことがある。したがって、第５整形部材３０ｅをドレス１００と略同色、または、視認されにくい色の整形部材にしておくことで、ドレス１００が捲れ上がった場合でも視聴者に違和感を与えることを防止することができる。また、逆に、第５整形部材３０ｅをドレス１００と異なる色にしてドレス１００が捲れ上がったときに、第５整形部材３０ｅを視聴者に視認させて美感を生じさせるようにしてもよい。
【００２１】
また、見栄えの良いシルエットを実現するには、土台スカート部２０に装着された第１整形部材３０ａ〜第５整形部材３０ｅの形状がそれぞれ整った円錐形状であることが前提となる。更に、第１ファスナー部材４０ａ〜第５ファスナー部材４０ｅ自体もそれぞれの円錐形状の一部を構成していることが好ましい。したがって、本実施形態では、第１ファスナー部材４０ａ〜第５ファスナー部材４０ｅのテープ４３ａ、４３ｂが長手方向に伸縮可能なものを用いている。テープ４３ａ、４３ｂを長手方向に伸縮できることで、第１ファスナー部材４０ａ〜第５ファスナー部材４０ｅ自体がそれぞれの円錐形状に倣った形状に変形でき、円錐形状の一部を構成することができる。このように、第１ファスナー部材４０ａ〜第５ファスナー部材４０ｅのテープ４３ａ、４３ｂが長手方向に伸縮可能にすることで、見栄えの良いドレス１００のシルエットを実現することができる。
【００２２】
なお、ここでは、５つの整形部材を用いる場合について説明したが、この場合に限られず、装着できる整形部材の数を増減してもよい。図２に示すパニエ１０には、第３スカート部材２１ｃの取付位置Ｐ６に図示しない第６整形部材を着脱自在に装着できるように構成されている。したがって、更にドレス１００の膨らみを増加したい場合には、取付位置Ｐ６に第６整形部材を装着することで、ドレス１００の膨らみを増加することができる。
【００２３】
次に、第２スカート部材２１ｂおよび第３スカート部材２１ｃが着脱自在に装着される構成について説明する。
図７は、第２スカート部材２１ｂを第１スカート部材２１ａから離脱した状態を示す図である。本実施形態では、第２スカート部材２１ｂが、第１スカート部材２１ａの複数の異なる高さに装着可能に構成されることで、パニエ１０全体の丈調節が可能である。
具体的には、第２スカート部材２１ｂが第１スカート部材２１ａの丈調節位置Ｓ１、丈調節位置Ｓ２または丈調節位置Ｓ３の何れかに着脱部を介して装着される。
本実施形態では、着脱部として丈調節用ファスナー部材が用いられる。第１丈調節用ファスナー部材５０ａは、スライド部材５１を介してスライド操作することで一方側噛合部材５２ａと他方側噛合部材５２ｂとが噛合または噛合解除される。
【００２４】
本実施形態では、図７に示すように、複数の一方側噛合部材５２ａがそれぞれテープ５３ａを介して丈調節位置Ｓ１、丈調節位置Ｓ２および丈調節位置Ｓ３の周囲に沿って配置される。一方、他方側噛合部材５２ｂは、テープ５３ｂを介して第２スカート部材２１ｂの上端に沿って配置される。
【００２５】
したがって、使用者は丈調節位置Ｓ１〜丈調節位置Ｓ３のうち所望の高さの丈調節位置の一方側噛合部材５２ａと、第２スカート部材２１ｂの他方側噛合部材５２ｂとを位置合わせ、スライド部材５１を第１丈調節用ファスナー部材５０ａに沿ってスライド操作することで、第１スカート部材２１ａに第２スカート部材２１ｂを装着することができる。第２スカート部材２１ｂが装着された状態で、使用者がスライド部材５１を第１丈調節用ファスナー部材５０ａに沿って逆方向に、スライド操作することで、一方側噛合部材５２ａと他方側噛合部材５２ｂとが噛合解除され、第２スカート部材２１ｂを第１スカート部材２１ａから離脱させることができる。
【００２６】
このように、第２スカート部材２１ｂを第１スカート部材２１ａの異なる高さに第１丈調節用ファスナー部材５０ａを介して着脱自在として、第１スカート部材２１ａの複数の異なる高さの何れかに装着させることで、パニエ１０の丈を容易に調節することができる。
同様に、第３スカート部材２１ｃについても第２丈調節用ファスナー部材５０ｂを介して第２スカート部材２１ｂの複数の異なる高さである丈調節位置Ｓ４〜丈調節位置Ｓ６のうち何れかの丈調節位置に装着することができる。
したがって、パニエ１０の丈を容易に調節することができるので、例えばドレス１００の丈に応じてパニエ１０の丈を調節したり、身長の異なる着用者にパニエ１０を着回したりすることができる。
【００２７】
なお、第２スカート部材２１ｂを第１スカート部材２１ａの丈調節位置Ｓ１または丈調節位置Ｓ２に装着した場合には、取付位置Ｐ３の一方側噛合部材４２ａが第２スカート部材２１ｂにより覆われてしまうために、第３整形部材３０ｃの装着は省略される。
同様に、第３スカート部材２１ｃを第２スカート部材２１ｂの丈調節位置Ｓ４または丈調節位置Ｓ５に装着した場合には、取付位置Ｐ５の一方側噛合部材４２ａが第３スカート部材２１ｃにより覆われてしまうために、第５整形部材３０ｅの装着は省略される。
【００２８】
次に、本実施形態では、土台スカート部２０の後部が上下に沿って配置された着脱部を介して分離可能に構成される。具体的には、第１スカート部材２１ａ〜第３スカート部材２１ｃはそれぞれ独立して、第１分離ファスナー部材６０ａ〜第３分離ファスナー部材６０ｃを介して分離される。
図８は、第１スカート部材２１ａの後部を分離した状態を示す図である。本実施形態では、第１スカート部材２１ａは、後部が分離できる上に腰周りの長さの調節が可能である。
具体的には、第１分離ファスナー部材６０ａは、スライド部材６１を介してスライド操作することで一方側噛合部材６２ａと他方側噛合部材６２ｂとが噛合または噛合解除される。一方側噛合部材６２ａは、テープ６３ａを介して第１スカート部材２１ａの一方側端部に沿って配置される。複数の他方側噛合部材６２ｂは、テープ６３ｂを介して第１スカート部材２１ｂの他方側端部であるウエスト位置Ｗ１と、腰周りの長さが短くなるウエスト位置Ｗ２に配置される。
【００２９】
したがって、使用者はウエスト位置Ｗ１とウエスト位置Ｗ２のうち所望のウエスト位置の他方側噛合部材６２ｂと一方側噛合部材６２ａとを位置合わせ、スライド部材６１を第１分離ファスナー部材６０ａに沿ってスライド操作することで、第１スカート部材２１ａを環状、具体的には円錐状に組み立てることができる。第１スカート部材２１ａが環状の状態で、使用者がスライド部材６１を第１分離ファスナー部材６０ａに沿って逆方向に、スライド操作することで、一方側噛合部材６２ａと他方側噛合部材６２ｂとが噛合解除され、第１スカート部材２１ａの後部を分離することができる。
【００３０】
このように、第１スカート部材２１ａの後部を分離することで立体的な円錐形状から平面的に展開できるので、第１スカート部材２１ａを収容するときにコンパクトに畳んで収容することができる。また、パニエ１０の腰周りの長さを容易に調節することができる。
また、第２スカート部材２１ｂおよび第３スカート部材２１ｃについてもそれぞれ第２分離ファスナー部材６０ｂおよび第３分離ファスナー部材６０ｃを介して後部で分離することができる。但し、第２スカート部材２１ｂおよび第３スカート部材２１ｃは、それぞれ膝部や膝下を覆うために、第１スカート部材２１ａのように腰周りの長さの調節は不要である。したがって、第２スカート部材２１ｂおよび第３スカート部材２１ｃには、それぞれ端部に一つの他方側噛合部材６２ｂのみが配置されている。
【００３１】
次に、土台スカート部２０の後部が分離可能な構成を利用して、付属スカート部および付属整形部材を装着させる構成について説明する。
図９は、付属スカート部および付属整形部材の構成を示す図である。
本実施形態のパニエ１０は、土台スカート部２０の後部を分離させた端部同士の間に、着脱部を介して付属スカート部７０を装着できる。本実施形態の付属スカート部７０は、扇形に形成され、土台スカート部２０と同様の材質が用いられる。
【００３２】
付属スカート部７０は、右側端に沿って３つの付属用一方側噛合部材７２ａがテープを介して縫い付けられることで結合され、左側端に沿って３つの付属用他方側噛合部材７２ｂがテープを介して縫い付けられることで結合される。
ここで、３つの付属用一方側噛合部材７２ａは、それぞれ第１分離ファスナー部材６０ａ、第２分離ファスナー部材６０ｂ、第３分離ファスナー部材６０ｃの一方側噛合部材６２ａに噛合または噛合解除される。
また、３つの付属用他方側噛合部材７２ｂは、それぞれ第１分離ファスナー部材６０ａ、第２分離ファスナー部材６０ｂ、第３分離ファスナー部材６０ｃの他方側噛合部材６２ｂに噛合または噛合解除される。
【００３３】
したがって、使用者は、付属スカート部７０の付属用一方側噛合部材７２ａと一方側噛合部材６２ａとをそれぞれ位置合わせ、スライド部材６１をスライド操作することで、付属スカート部７０の右端を土台スカート部２０に装着することができる。同様に、使用者は、付属スカート部７０の付属用他方側噛合部材７２ｂと他方側噛合部材６２ｂとをそれぞれ位置合わせ、スライド部材７１をスライド操作することで、付属スカート部７０の左端を土台スカート部２０に装着することができる。
【００３４】
ここで、付属スカート部７０には、上側から第１付属整形部材７５ａ〜第５付属整形部材７５ｅが結合される。図９では、第１付属整形部材７５ａ〜第５付属整形部材７５ｅを二点鎖線で示している。第１付属整形部材７５ａ〜第５付属整形部材７５ｅは、土台スカート部２０の第１整形部材３０ａ〜第５整形部材３０ｅの高さと同様の位置に結合されている。
したがって、第１付属整形部材７５ａ〜第５付属整形部材７５ｅを結合した付属スカート部７０を土台スカート部２０に装着することで、ドレス１００のボリュームを一層、増加させることができる。
【００３５】
なお、付属スカート部７０でも、土台スカート部２０と同様に、第１付属整形部材７５ａ〜第５付属整形部材７５ｅを着脱部を介して着脱自在に構成してもよい。また、第１付属整形部材７５ａ〜第５付属整形部材７５ｅごとに、ボリュームおよび硬さの異なる整形部材を用意してもよい。
また、付属スカート部７０でも、土台スカート部２０と同様に、第１付属スカート部材〜第３付属スカート部材の３つで構成してもよい。すなわち、第２付属スカート部材を第１付属スカート部材の複数の異なる高さの何れかに装着したり、第３付属スカート部材を第２付属スカート部材の複数の異なる高さの何れかに装着したりするようにしてもよい。
【００３６】
以上、本実施形態のパニエ１０によれば、土台スカート部２０の周囲に沿ってそれぞれ着脱自在に装着される第１整形部材３０ａ〜第５整形部材３０ｅを有することから、所望するドレスのシルエットに応じて、ボリュームや硬さが異なる整形部材を装着することで、ドレスのシルエットを容易に変更することができる。また、本実施形態のパニエ１０は例えば、ドレス製作時のシルエットを検討したり、店頭のウィンドウや博物館などで多種類のドレスを展示したりする場合に適している。
【００３７】
また、第１整形部材３０ａ〜第５整形部材３０ｅを土台スカート部２０から離脱させることで、パニエ１０をコンパクトに収容することができる。また、第１整形部材３０ａ〜第５整形部材３０ｅを土台スカート部２０から離脱させることで、第１整形部材３０ａ〜第５整形部材３０ｅを容易にアイロン掛けすることができる。
【００３８】
また、第１整形部材３０ａ〜第５整形部材３０ｅは、土台スカート部２０に対してスライド部材４１を介したスライド操作に応じて一方側噛合部材４２ａと他方側噛合部材４２ｂとが噛合または噛合解除されるファスナー部材により着脱自在に装着される。したがって、ファスナー部材により第１整形部材３０ａ〜第５整形部材３０ｅを土台スカート部２０に対して容易に着脱することができる。
【００３９】
また、一方側噛合部材４２ａは長尺のテープ４３ａを介して土台スカート部２０に結合され、他方側噛合部材４２ｂは長尺のテープ４３ｂを介して第１整形部材３０ａ〜第５整形部材３０ｅに結合される。各テープ４３ａ、４３ｂは、長手方向に沿って伸縮可能であることから、ファスナー部材自体を、円錐形状の一部として構成でき、見栄えの良いドレスのシルエットを実現することができる。
【００４０】
また、土台スカート部２０は、第２スカート部材２１ｂが第１スカート部材２１ａに対して着脱自在であって、第１スカート部材２１ａの複数の異なる高さに装着可能であることから、パニエ１０全体の丈調節が可能である。したがって、ドレス１００の丈やヒールの高さに応じてパニエ１０の丈を調節したり、身長の異なる着用者にパニエ１０を着回したりすることができる。すなわち、他人との間でパニエ１０の貸し借りが可能である。また、本実施形態のパニエ１０は例えば、着回しを前提とする舞台衣装のドレスに用いる場合に適している。また、第２スカート部材２１ｂを第１スカート部材２１ａに対して離脱させることで、第１スカート部材２１ａにテープ４３ａを介して一方側噛合部材４２ａを容易に縫い付けることができる。
同様に、第３スカート部材２１ｃが第２スカート部材２１ｂに対して着脱自在であって、第２スカート部材２１ｂの複数の異なる高さに装着可能であることから、上述と同様の効果がある。
【００４１】
また、第１スカート部材２１ａ〜第３スカート部材２１ｃで構成することでパニエ１０をロング丈として用いることができるが、第３スカート部材２１ｃを離脱させて、第１スカート部材２１ａおよび第２スカート部材２１ｂでパニエ１０を構成する場合には、パニエ１０をミディアム丈として用いることができる。なお、パニエ１０をミディアム丈として用いる場合には、第５整形部材３０ｅを省略して、第４整形部材３０ｄを下端の整形部材とすることが好ましい。このとき、第４整形部材３０ｄの種類に、ドレス１００と略同色、視認されにくい色、または、ドレス１００と異なる色を用意してもよい。
また、第２スカート部材２１ｂおよび第３スカート部材２１ｃを離脱させて、第１スカート部材２１ａでパニエ１０を構成する場合には、パニエ１０をミニ丈として用いることができる。なお、パニエ１０をミニ丈として用いる場合には、第２整形部材３０ｂまたは第３整形部材３０ｃを下端の整形部材とすることが好ましい。このとき、第２整形部材３０ｂまたは第３整形部材３０ｃの種類に、ドレス１００と略同色、視認されにくい色、または、ドレス１００と異なる色を用意してもよい。
このように、第３スカート部材２１ｃを離脱させることでミディアム丈、第２スカート部材２１ｂを離脱させることでミニ丈とすることができることから、大きい調節量での丈調節が可能である。
更に、第３スカート部材２１ｃは第２スカート部材２１ｂの下端よりも上側の複数（ここでは、２箇所）の異なる高さに装着でき、第２スカート部材２１ｂは第１スカート部材２１ａの下端よりも上側の複数（ここでは、２箇所）の異なる高さに装着できることから、小さい調節量での丈調節も可能である。
したがって、本実施形態のパニエ１０は、大きい調節量と小さい調節量とを組み合わせた丈調節が可能であり、ドレス１００や着用者の身長に応じた柔軟な丈調節が可能である。
【００４２】
また、第２スカート部材２１ｂは、第１スカート部材２１ａに対してスライド部材５１を介したスライド操作に応じて一方側噛合部材５２ａと他方側噛合部材５２ｂとが噛合または噛合解除される第１丈調節用ファスナー部材５０ａにより着脱自在に装着される。したがって、ファスナー部材により第２スカート部材２１ｂを第１スカート部材２１ｂに対して容易に着脱することができる。
同様に、第２スカート部材２１ｂが第３スカート部材２１ｃに対して第２丈調節用ファスナー部材５０ｂを介して容易に着脱することができる。
【００４３】
以上、本発明を種々の実施形態と共に説明したが、本発明はこれらの実施形態にのみ限定されるものではなく、本発明の範囲内で変更等が可能であり、上述した実施形態を適時組み合わせてもよい。
【００４４】
例えば、上述した実施形態では、土台スカート部２０が第１スカート部材２１ａ〜第３スカート部材２１ｃから構成される場合について説明したが、この場合に限られず１つ、２つ、または、４つ以上のスカート部材で構成されていてもよい。
【符号の説明】
【００４５】
１０：パニエ  ２０：土台スカート部  ２１ａ〜２１ｃ：第１スカート部〜第３スカート部  ２２：ウエスト部  ３０ａ〜３０ｅ：第１整形部材〜第５整形部材  ４０ａ〜４０ｃ：第１ファスナー部材〜第３ファスナー部材  ４１：スライド部材  ４２ａ：一方側噛合部材  ４２ｂ：他方側噛合部材  ４３ａ、４３ｂ：テープ  ５０ａ、５０ｂ：丈調節用ファスナー部材  ５１：スライド部材  ５２ａ：一方側噛合部材  ５２ｂ：他方側噛合部材  ５３ａ、５３ｂ：テープ  ６０ａ〜６０ｃ：第１分離ファスナー部材〜第３分離ファスナー部材  ６１：スライド部材  ６２ａ：一方側噛合部材  ６２ｂ：他方側噛合部材  ６３ａ、６３ｂ：テープ  ７０：付属スカート部  ７１：スライド部材  ７２ａ：付属用一方側噛合部材  ７２ｂ：付属用他方側噛合部材  ７３ａ、７３ｂ：テープ  ７５ａ〜７５ｅ：第１付属整形部材〜第５付属整形部材
【図１】
2016089318.tif 000003
【図２】
2016089318.tif 000004
【図３】
2016089318.tif 000005
【図４】
2016089318.tif 000006
【図５】
2016089318.tif 000007
【図６】
2016089318.tif 000008
【図７】
2016089318.tif 000009
【図８】
2016089318.tif 000010
【図９】
2016089318.tif 000011